(57)【特許請求の範囲】
【請求項１】
洗濯槽の底部に回転自在に配設したパルセーターと、前記パルセーターの上方にこのパルセーターを覆うように前記洗濯槽の内周部に着脱自在に装着され複数の孔を設けた多孔体とを備え、前記多孔体は、その孔径を衣類に取り付けたホックなどの固形部材がひっかからない孔径以下とするとともに、略中央部分の孔の孔径を大とし、略外周部分の孔の孔径を小とした洗濯機。
【発明の詳細な説明】
【０００１】
【発明の属する技術分野】
本発明は、洗濯槽内に回転自在に配設したパルセーターにより洗濯を行う洗濯機に関するものである。
【０００２】
【従来の技術】
従来、この種の洗濯機は図６に示すように構成していた。以下、その構成について説明する。
【０００３】
図に示すように、洗濯兼脱水槽（洗濯槽）１は、底面にパルセーター２を回転自在に配設し、洗濯兼脱水槽１の底面の裏面には取りつけ用のフランジ３を設け、水受槽４に内包されている。水受槽４の裏面には、洗濯兼脱水槽１をおよびパルセーター２を駆動するモータ５を取り付けている。また、水受槽４は外枠６にサスペンション７によって防振支持されている。洗濯兼脱水槽１の上部には液体を内封した流体バランサー８を固着している。
【０００４】
上記構成において、洗濯行程において、モータ５によりパルセーター２を駆動することによって、パルセーター２が直接衣類に接触することにより、または水を介して洗濯兼脱水槽１内の衣類を回転し、衣類を洗濯する。
【０００５】
【発明が解決しようとする課題】
このような従来の洗濯機では、洗濯中の衣類がパルセーター２に直接接触すると、衣類とパルセーター２の回転数が異なるため衣類が傷むという問題を有していた。すなわち、パルセーター２の回転数は毎分１５０〜１８０回転前後であるのに対して、衣類の回転数は毎分１０回転前後であり、この回転数の差が衣類の傷みの大きな原因となっている。特に、ブラウスなどのデリケートな衣類では型くずれや傷みが起こりやすいという問題を有していた。
【０００６】
この解決策として、図７に示すように、洗濯兼脱水槽９の内周部１０に複数個の段部１１を設け、この段部１１に複数の孔１２を設けた多孔体１３を載置し、多孔体１３はパルセーター２とは動的に切り離した状態で、パルセーター２を覆うように洗濯兼脱水槽９に着脱自在に装着するように構成したものが提案されている。
【０００７】
このような構成の洗濯機では、多孔体１３の上に衣類を乗せてパルセーター２を回転させると、衣類はパルセーター２の回転による水流によりパルセーター２と接触することなく洗濯することができ、ブラウスなどのデリケートな衣類などでも型くずれや傷みが起こることなく洗濯することができる。
【０００８】
しかし、ファンデション類のブラジャーには、図８に示すように、母体１４にホック１５が取り付けられており、このホック１５の長さは約５ｍｍ程度であり、多孔体１３の孔１２の孔径が大きければ、ホック１５が引っ掛かってしまうという問題を有していた。
【０００９】
本発明は上記課題を解決するもので、洗濯中の衣類とパルセーターとを直接接触させず、さらに、衣類のホックなどの引っ掛かりを防止し、パルセーターの回転による水流により洗濯を行うようにして、デリケートな衣類の傷み、型くずれを最小限におさえ、水流を多孔体の上部に伝達しやすくすることで洗濯効果を向上させることを目的としている。
【００１０】
【課題を解決するための手段】
本発明の洗濯機においては、パルセーターの上方にこのパルセーターを覆うように複数の孔を設けた多孔体を洗濯槽の内周部に着脱自在に装着可能とし、前記多孔体は、その孔径を衣類に取り付けたホックなどの固形部材がひっかからない孔径以下とするとともに、略中央部分の孔の孔径を大とし、略外周部分の孔の孔径を小としたものである。
【００１１】
これにより、衣類が直接パルセーターに接触せずデリケートな衣類の傷み、型くずれを最小限に抑えることができ、しかも、多孔体の孔は衣類に取り付けた固形部材がひっかからない孔径まで大きくすることができて、水流の伝達をよくすることができ、固形部材がひっかからないため衣類が上下動できることと相俟って、洗濯効果を向上することができるとともに、パルセーターの回転による水流の上昇水流を抑制し、引き込み水流を強くすることができ、多孔体上で衣類の上下の動きを確保することができ、押し洗い効果を向上させることができる。
【００１２】
【発明の実施の形態】
本発明の請求項１に記載の発明は、洗濯槽の底部に回転自在に配設したパルセーターと、前記パルセーターの上方にこのパルセーターを覆うように前記洗濯槽の内周部に着脱自在に装着され複数の孔を設けた多孔体とを備え、前記多孔体は、その孔径を衣類に取り付けたホックなどの固形部材がひっかからない孔径以下とするとともに、略中央部分の孔の孔径を大とし、略外周部分の孔の孔径を小としたものであり、洗濯中の衣類は直接パルセーターと接触せず、パルセーターの回転による水流により洗濯を行うことができ、デリケートな衣類の傷み、型くずれを最小限に抑えることができ、しかも、多孔体の孔は衣類に取り付けた固形部材がひっかからない孔径まで大きくすることができて、水流の伝達をよくすることができ、固形部材がひっかからないため衣類が上下動できることと相俟って、洗濯効果を向上することができるとともに、パルセーターの回転による水流の上昇水流を抑制し、引き込み水流を強くすることができ、多孔体上で衣類の上下の動きを確保することができ、押し洗い効果を向上させることができる。
【００１３】
以下、本発明の実施の形態について、図面を参照しながら説明する。なお、従来例と同じ構成のものは同一符号を付して説明を省略する。
【００１４】
（実施の形態１）
図１および図２に示すように、多孔体１６は、略平板状で複数個の孔１７を設け、洗濯兼脱水槽９の内周部１０に設けた複数個の段部１１に載置し、この多孔体１６はパルセーター２とは動的に切り離した状態で、パルセーター２を覆うように洗濯兼脱水槽９に着脱自在に装着するようにしている。多孔体１６の孔１７は、ブラジャーなどの衣類１８に取り付けたホックなどの固形部材（線材、成形品などで形成した弾性体、剛体など）がひっかからない孔径とし、４ｍｍ程度、好ましくは、３．５ｍｍ〜４．５ｍｍとしている。
【００１５】
上記構成において動作を説明すると、多孔体１６を洗濯兼脱水槽９に装着し、洗濯行程において、モータ５によりパルセーター２を駆動すると、パルセーター２の回転により、矢印で示すように、略ハート型の水流１９が発生し、衣類１８は、このパルセーター２の回転による略ハート型の水流１９の力によって上下に動き、押し洗い効果により洗浄される。このとき、衣類１８は多孔体１６の上に乗せられており、直接衣類１８とパルセーター２が接触することはない。
【００１６】
また、多孔体１６は、洗濯兼脱水槽９の内周部１０の段部１１と内周部１０の縦凸部２０に押し挟まれた状態であり浮き上がることはない。
【００１７】
つぎに、多孔体１６の孔１７の面積を大きくするために、孔径を大とし、孔間を小とすると、図３に示すように、衣類１８の上下動の距離が大きくなるため、この上下動により押し洗いの押す圧力が衣類１８に加わり、さらには、上部に位置する衣類１８まで上下動を伝達できるため、洗濯効果を向上させることできる。
【００１８】
なお、孔１７の孔径は大きければ上下動はよくなるが、５ｍｍ程度以上の孔径であると、ブラジャーのホックなどの固形部材が引っ掛かるため、本発明では孔径を４ｍｍ程度としている。
【００１９】
このように本実施の形態によれば、パルセーター２の上方にこのパルセーター２を覆うように多孔体１６を設け、この多孔体１６はパルセーター２とは動的に切り離しているので、洗濯中の衣類は直接パルセーター２と接触せず、パルセーター２の回転による水流により洗濯を行うことができ、多孔体１６の孔径を衣類１８に取り付けたホックなどの固形部材がひっかからない孔径まで大とすることで、水流を衣類１８に伝達しやすくことができ、衣類１８の上下動を大きくすることができ、洗濯効果を向上させ、デリケートな衣類の傷み、型くずれを最小限に抑えた洗濯を行うことができる。
【００２０】
（実施の形態２）
図４および図５に示すように、洗濯兼脱水槽（洗濯槽）２１は、側壁に略Ｕ字形の循環水路２２を形成し、この循環水路２２の上部に設けた吐出口２３を洗濯兼脱水槽２１の中心方向に向けて開口している。パルセーター２４の裏面に羽根２５を設け、羽根２５の外周に形成したポンプ室２６を循環水路２２に連通している。
【００２１】
多孔体２７は、略中央部分の孔２８ａの孔径を大きくして開口面積を大とし、略外周部分の孔２８ｂの孔径を小さくして開口面積を小としている。他の構成は上記実施の形態１と同じである。
【００２２】
上記構成において動作を説明すると、多孔体２７を洗濯兼脱水槽２１に装着し、洗濯行程において、モータ５によりパルセーター２４を駆動すると、パルセーター２４の回転により、パルセーター２４の裏面の水は羽根２５により循環水路２２を通り、吐出口２３より洗濯兼脱水槽２１内に吐出する。これにより、多孔体２７の上に乗せられた衣類１８は、パルセーター２４による水流とともに、吐出口２３からの吐出水を上方より掛けられることにより、洗浄力を向上させることができる。
【００２３】
また、パルセーター２４の回転により、矢印に示すように、略ハート型の水流２９が発生し、水流のオン時は、洗濯兼脱水槽２１の略中央部は下方向へ、略外周部は上方向への水流となる。そこで、多孔体２７の略中央部分の孔２８ａの開口面積を大とし、略外周部分の孔２８ｂの開口面積を小とすることで、ハート水流２３の上昇水流を抑制し、引き込み水流を強くすることができ、衣類１８の押し洗い力を向上させ、洗濯効果をさらに向上させることができる。
【００２４】
このとき、衣類１８は多孔体２７の上に乗せられており、直接衣類１８とパルセーター２４が接触することはなく、また、多孔体２７は、洗濯兼脱水槽２１の内周部１０の段部１１と内周部１０の縦凸部２０に押し挟まれた状態であり、浮き上がることはない。
【００２５】
このように本実施の形態によれば、循環水路２２の吐出口２３を洗濯兼脱水槽２１の中心方向に向けて開口し、パルセーター２４の上方にこのパルセーター２４を覆うように多孔体２７を設け、この多孔体２７はパルセーター２４とは動的に切り離しているので、パルセーター２４と衣類１８が直接接触することがなく、パルセーター２４による水流と循環水路２２の吐出水により、デリケートな衣類の傷み、型くずれを最小限におさえた洗濯を行うことができる。
【００２６】
さらに、多孔体２７の略中央部分の孔２８ａの開口面積を大とし、略外周部分の孔２８ｂの開口面積を小とすることで、上昇水流を抑え、引き込み水流を強くすることができ、押し洗い力を向上させ、さらなる洗濯効果の向上ができる。
【００２７】
なお、上記実施の形態では、多孔体２７の略中央部分の孔２８ａの孔径を大きくして開口面積を大とし、略外周部分の孔２８ｂの孔径を小さくして開口面積を小としているが、孔径ではなくて、たとえば、略外周部分の孔２８ｂの一部を閉塞して開口面積を小さくしたり、または、文字などを入れたりして開口面積を変化させてもよい。また、図１に示すような循環水路２２を形成しない構成でもよい。
【００２８】
【発明の効果】
以上のように本発明の請求項１に記載の発明によれば、洗濯槽の底部に回転自在に配設したパルセーターと、前記パルセーターの上方にこのパルセーターを覆うように前記洗濯槽の内周部に着脱自在に装着され複数の孔を設けた多孔体とを備え、前記多孔体は、その孔径を衣類に取り付けたホックなどの固形部材がひっかからない孔径以下とするとともに、略中央部分の孔の孔径を大とし、略外周部分の孔の孔径を小としたから、洗濯中の衣類は直接パルセーターと接触せず、パルセーターの回転による水流により洗濯を行うことができ、デリケートな衣類の傷み、型くずれを最小限に抑えることができ、しかも、多孔体の孔は衣類に取り付けた固形部材がひっかからない孔径まで大きくすることができて、水流の伝達をよくすることができ、固形部材がひっかからないため衣類が上下動できることと相俟って、洗濯効果を向上することができるとともに、パルセーターの回転による水流の上昇水流を抑制し、引き込み水流を強くすることができ、多孔体上で衣類の上下の動きを確保することができ、押し洗い効果を向上させることができる。
【図面の簡単な説明】
【図１】  本発明の第１の実施の形態の洗濯機の断面図
【図２】  同洗濯機の多孔体の拡大平面図
【図３】  同洗濯機の洗濯時の衣類の上下動を示す特性図
【図４】  本発明の第２の実施の形態の洗濯機の断面図
【図５】  同洗濯機の多孔体の拡大平面図
【図６】  従来の洗濯機の一例の断面図
【図７】  従来の洗濯機の他の例の断面図
【図８】  同洗濯機で洗濯する衣類の一例の一部切欠した側面図
【符号の説明】
２  パルセーター
９  洗濯兼脱水槽（洗濯槽）
１０  内周部
１６  多孔体
１７  孔
１８  衣類
【図１】
0003721619.tif 000002
【図２】
0003721619.tif 000003
【図３】
0003721619.tif 000004
【図４】
0003721619.tif 000005
【図５】
0003721619.tif 000006
【図６】
0003721619.tif 000007
【図７】
0003721619.tif 000008
【図８】
0003721619.tif 000009